(57)【要約】【課題】規定サイズの蓄積性蛍光体シートと、特殊サイズの蓄積性蛍光体シートを保持する保持部材との両方を精度良く搬送することができるようにした蓄積性蛍光体シート用搬送装置を提供する。【解決手段】ローラ５８と、ローラ５８に対向する対向ローラ６０と、対向ローラ６０の軸方向における中央部に設けられ、規定サイズの蓄積性蛍光体シートに接触し、規定サイズの蓄積性蛍光体シートをローラ５８との間で挟持搬送する第１挟持搬送部７０と、対向ローラ６０の軸方向における両端部に設けられ、第１挟持搬送部７０よりも縮径され、規定サイズの蓄積性蛍光体シートとはサイズの異なる特殊サイズの蓄積性蛍光体シート１２を保持する蓄積性蛍光体シート用保持部材１４の縁部の肉厚とされたフレーム１８に接触し、蓄積性蛍光体シート用保持部材１４をローラ５８との間で挟持搬送する第２挟持搬送部７２と、を有するように構成する。【選択図】図７
2013076889.tif 000002
【特許請求の範囲】
【請求項１】
ローラと、
前記ローラに対向する対向ローラと、
前記対向ローラの軸方向における中央部に設けられ、前記規定サイズの蓄積性蛍光体シートに接触し、前記規定サイズの蓄積性蛍光体シートを前記ローラとの間で挟持搬送する第１挟持搬送部と、
前記対向ローラの軸方向における両端部に設けられ、前記第１挟持搬送部よりも縮径され、前記規定サイズの蓄積性蛍光体シートとはサイズの異なる特殊サイズの蓄積性蛍光体シートを保持する保持部材の縁部の肉厚とされた枠体に接触し、前記保持部材を前記ローラとの間で挟持搬送する第２挟持搬送部と、
を有する蓄積性蛍光体シート用搬送装置。
【請求項２】
前記第１挟持搬送部は、前記保持部材に保持される前記特殊サイズの蓄積性蛍光体シートに対して非接触とされている請求項１に記載の蓄積性蛍光体シート用搬送装置。
【請求項３】
前記第１挟持搬送部は、前記第２挟持搬送部に比べて軟質とされている請求項１または請求項２に記載の蓄積性蛍光体シート用搬送装置。
【請求項４】
前記第１挟持搬送部は、弾性変形自在とされている請求項１〜３のいずれか１項に記載の蓄積性蛍光体シート用搬送装置。
【請求項５】
前記第１挟持搬送部は、スポンジ材から構成されている請求項１〜４のいずれか１項に記載の蓄積性蛍光体シート用搬送装置。
【請求項６】
前記第２挟持搬送部の前記対向ローラの軸方向における中央部は、凹まされている請求項１〜５のいずれか１項に記載の蓄積性蛍光体シート用搬送装置。
【請求項７】
前記ローラおよび前記対向ローラのうちの一方が駆動ローラとされ、前記ローラおよび前記対向ローラのうちの他方が従動ローラとされている請求項１〜６のいずれか１項に記載の蓄積性蛍光体シート用搬送装置。
【請求項８】
前記ローラおよび前記対向ローラが駆動ローラとされている請求項１〜６のいずれか１項に記載の蓄積性蛍光体シート用搬送装置。
【請求項９】
請求項１〜８のいずれか１項に記載の蓄積性蛍光体シート用搬送装置と、
請求項１〜８のいずれか１項に記載の蓄積性蛍光体シート用搬送装置によって搬送される前記規定サイズの蓄積性蛍光体シートおよび請求項１〜８のいずれか１項に記載の蓄積性蛍光体シート用搬送装置によって搬送される前記保持部材に保持される前記特殊サイズの蓄積性蛍光体シートに記憶された放射線画像の読み取り処理および消去処理の少なくとも一方の処理を行う処理装置と、
を備える蓄積性蛍光体シート処理装置。
【請求項１０】
前記ローラと前記対向ローラからなるローラ対は、前記処理装置を挟むように複数設けられている請求項９に記載の蓄積性蛍光体シート処理装置。
【発明の詳細な説明】
【技術分野】
【０００１】
本発明は、蓄積性蛍光体シート用搬送装置および蓄積性蛍光体シート処理装置に関する。
【背景技術】
【０００２】
従来より、被写体の放射線画像を記録する蓄積性蛍光体シートが知られている。蓄積性蛍光体シートは、これに放射線（Ｘ線、α線、β線、γ線、電子線、紫外線など）を照射すると放射線エネルギーの一部が蓄積され、その後、励起光を照射すると蓄積されたエネルギーに応じた光量の輝尽発光光を放射するという特性を有する。この特性を利用して、被写体を透過した放射線を蓄積性蛍光体シートに照射することにより被写体の放射線画像を一旦蓄積性蛍光体に記録し、この蓄積性蛍光体シートに励起光としてのレーザ光を走査して輝尽発光光を放射させ、放射させた輝尽発光光を検出することで被写体の放射線画像を読み取る読取器を備えた処理装置も知られている。
【０００３】
一般的に、処理装置は規定サイズの蓄積性蛍光体シートに合わせて設計されており、特殊サイズ（小サイズ）の蓄積性蛍光体シートについては処理装置の内部での搬送が精度良く行えないため、特殊サイズの蓄積性蛍光体シートを保持部材に保持させ、特殊サイズの蓄積性蛍光体シートを保持した状態の保持部材を精度良く搬送することで、特殊サイズの蓄積性蛍光体シートの読み取りを行うようにしている。
【０００４】
処理装置の内部において蓄積性蛍光体シートを搬送する蓄積性蛍光体シート用搬送装置として、下記の特許文献１に記載されるものが知られている。引用文献１に記載の蓄積性蛍光体シート用搬送装置にあっては、処理装置の読取器のレーザ光を走査する位置において蓄積性蛍光体シートを精度良く搬送するために、ローラ対により蓄積性蛍光体シートを挟持搬送するように構成している。
【先行技術文献】
【特許文献】
【０００５】
【特許文献１】特公平６−１７１８４号公報
【発明の概要】
【発明が解決しようとする課題】
【０００６】
しかしながら、引用文献１に記載の蓄積性蛍光体シート用搬送装置は、規定サイズの蓄積性蛍光体シートの搬送のみを対象とするものであり、特殊サイズの蓄積性蛍光体シートを保持する保持部材には対応していないという問題点を有している。
【０００７】
本発明は、従来技術における問題点に鑑み、規定サイズの蓄積性蛍光体シートと、特殊サイズの蓄積性蛍光体シートを保持する保持部材との両方を精度良く搬送することができるようにした蓄積性蛍光体シート用搬送装置を提供することを目的とする。
【課題を解決するための手段】
【０００８】
本発明の請求項１に記載の蓄積性蛍光体シート用搬送装置は、ローラと、前記ローラに対向する対向ローラと、前記対向ローラの軸方向における中央部に設けられ、前記規定サイズの蓄積性蛍光体シートに接触し、前記規定サイズの蓄積性蛍光体シートを前記ローラとの間で挟持搬送する第１挟持搬送部と、前記対向ローラの軸方向における両端部に設けられ、前記第１挟持搬送部よりも縮径され、前記規定サイズの蓄積性蛍光体シートとはサイズの異なる特殊サイズの蓄積性蛍光体シートを保持する保持部材の縁部の肉厚とされた枠体に接触し、前記保持部材を前記ローラとの間で挟持搬送する第２挟持搬送部と、を有することを特徴とする。
【０００９】
本発明の請求項２に記載の蓄積性蛍光体シート用搬送装置は、請求項１に記載の蓄積性蛍光体シート用搬送装置において、前記第１挟持搬送部は、前記保持部材に保持される前記特殊サイズの蓄積性蛍光体シートに対して非接触とされていることを特徴とする。
【００１０】
本発明の請求項３に記載の蓄積性蛍光体シート用搬送装置は、請求項１または請求項２に記載の蓄積性蛍光体シート用搬送装置において、前記第１挟持搬送部は、前記第２挟持搬送部に比べて軟質とされていることを特徴とする。
【００１１】
本発明の請求項４に記載の蓄積性蛍光体シート用搬送装置は、請求項１〜３のいずれか１項に記載の蓄積性蛍光体シート用搬送装置において、前記第１挟持搬送部は、弾性変形自在とされていることを特徴とする。
【００１２】
本発明の請求項５に記載の蓄積性蛍光体シート用搬送装置は、請求項１〜４のいずれか１項に記載の蓄積性蛍光体シート用搬送装置において、前記第１挟持搬送部は、スポンジ材から構成されていることを特徴とする。
【００１３】
本発明の請求項６に記載の蓄積性蛍光体シート用搬送装置は、請求項１〜５のいずれか１項に記載の蓄積性蛍光体シート用搬送装置において、前記第２挟持搬送部の前記対向ローラの軸方向における中央部は、凹まされていることを特徴とする。
【００１４】
本発明の請求項７に記載の蓄積性蛍光体シート用搬送装置は、請求項１〜６のいずれか１項に記載の蓄積性蛍光体シート用搬送装置において、前記ローラおよび前記対向ローラのうちの一方が駆動ローラとされ、前記ローラおよび前記対向ローラのうちの他方が従動ローラとされていることを特徴とする。
【００１５】
本発明の請求項８に記載の蓄積性蛍光体シート用搬送装置は、請求項１〜６のいずれか１項に記載の蓄積性蛍光体シート用搬送装置において、前記ローラおよび前記対向ローラが駆動ローラとされていることを特徴とする。
【００１６】
本発明の請求項９に記載の蓄積性蛍光体シート処理装置は、請求項１〜８のいずれか１項に記載の蓄積性蛍光体シート用搬送装置と、請求項１〜８のいずれか１項に記載の蓄積性蛍光体シート用搬送装置によって搬送される前記規定サイズの蓄積性蛍光体シートおよび請求項１〜８のいずれか１項に記載の蓄積性蛍光体シート用搬送装置によって搬送される前記保持部材に保持される前記特殊サイズの蓄積性蛍光体シートに記憶された放射線画像の読み取り処理および消去処理の少なくとも一方の処理を行う処理装置と、を備えることを特徴とする。
【００１７】
本発明の請求項１０に記載の蓄積性蛍光体シート処理装置は、請求項９に記載の蓄積性蛍光体シート処理装置において、前記ローラと前記対向ローラからなるローラ対は、前記処理装置を挟むように複数設けられていることを特徴とする。
【発明の効果】
【００１８】
請求項１に記載の蓄積性蛍光体シート用搬送装置によれば、ローラと、該ローラに対向する対向ローラとを有しており、対向ローラには、規定サイズの蓄積性蛍光体シートをローラとの間で挟持搬送するための第１挟持搬送部と、特殊サイズの蓄積性蛍光体シートを保持する保持部材をローラとの間で挟持搬送するための第２挟持搬送部とが設けられている。
【００１９】
従って、規定サイズの蓄積性蛍光体シートと、特殊サイズの蓄積性蛍光体シートを保持する保持部材との両方を精度良く搬送することができる。
【００２０】
請求項２に記載の蓄積性蛍光体シート用搬送装置によれば、第１挟持搬送部は、保持部材に保持される特殊サイズの蓄積性蛍光体シートに対して非接触とされている。従って、保持部材の挟持搬送中に特殊サイズの蓄積性蛍光体シートが保持部材から剥がれ落ちるのを抑制することができる。
【００２１】
請求項３に記載の蓄積性蛍光体シート用搬送装置によれば、第１挟持搬送部は第２挟持搬送部に比べて軟質とされている。従って、規定サイズの蓄積性蛍光体シートを挟持搬送する際、規定サイズの蓄積性蛍光体シートが第１挟持搬送部に食い込むため、規定サイズの蓄積性蛍光体シートの厚みにバラツキがある場合でも、そのバラツキを吸収することができる。また、搬送方向に交差する方向へ寄れて搬送されるのを抑制することができ、規定サイズの蓄積性蛍光体シートを搬送方向に沿って精度良く搬送することができる。
【００２２】
請求項４に記載の蓄積性蛍光体シート用搬送装置によれば、第１挟持搬送部は、弾性変形自在とされている。従って、保持部材の挟持搬送中に第１挟持搬送部が保持部材の縁部の肉厚とされた枠体に接触する場合でも、保持部材を挟持搬送することができる。
【００２３】
請求項５に記載の蓄積性蛍光体シート用搬送装置によれば、第１挟持搬送部は、スポンジ材から構成されている。従って、簡易な構成により第１挟持搬送部を軟質かつ弾性変形自在なものとすることができる。
【００２４】
請求項６に記載の蓄積性蛍光体シート用搬送装置によれば、第２挟持搬送部の対向ローラの軸方向における中央部が凹まされている。従って、特殊サイズの蓄積性蛍光体シートを保持する保持部材を挟持搬送する際、保持部材が搬送方向に沿って案内されるため、保持部材を搬送方向に沿って精度良く搬送することができる。
【００２５】
請求項７に記載の蓄積性蛍光体シート用搬送装置によれば、ローラおよび対向ローラのうちの一方が駆動ローラとされ、ローラおよび対向ローラのうちの他方が従動ローラとされている。従って、簡易な構成により搬送対象物を搬送することができる。
【００２６】
請求項８に記載の蓄積性蛍光体シート用搬送装置によれば、ローラおよび対向ローラが駆動ローラとされている。従って、搬送対象物をより的確に搬送することができる。
【００２７】
請求項９に記載の蓄積性蛍光体シート処理装置によれば、請求項１〜８のいずれか１項に記載の蓄積性蛍光体シート用搬送装置と、請求項１〜８のいずれか１項に記載の蓄積性蛍光体シート用搬送装置によって搬送される規定サイズの蓄積性蛍光体シートおよび請求項１〜８のいずれか１項に記載の蓄積性蛍光体シート用搬送装置によって搬送される保持部材に保持される特殊サイズの蓄積性蛍光体シートに記憶された放射線画像の読み取り処理および消去処理の少なくとも一方の処理を行う処理装置と、を備えている。
【００２８】
従って、規定サイズの蓄積性蛍光体シートおよび特殊サイズの蓄積性蛍光体シートに記憶された放射線画像の読み取りおよび消去の少なくとも一方の処理を精度良く行うことができる。
【００２９】
請求項１０に記載の蓄積性蛍光体シート処理装置によれば、ローラと対向ローラからなるローラ対が処理装置を挟むように複数設けられている。従って、処理装置における処理をより一層精度良く行うことができる。
【図面の簡単な説明】
【００３０】
【図１】本発明に係る搬送装置で搬送される規定サイズの蓄積性蛍光体シートを示す図である。（Ａ）は平面図であり、（Ｂ）は（Ａ）中の１Ｂ−１Ｂ線における断面図である。
【図２】本発明に係る搬送装置で搬送される蓄積性蛍光体シート用保持部材であって特殊サイズの蓄積性蛍光体シートを保持した状態のものを示す図である。（Ａ）はその平面図であり、（Ｂ）は（Ａ）中の２Ｂ−２Ｂ線における断面図である。
【図３】図２の蓄積性蛍光体シート用保持部材に対する比較例として、フレームを有しない蓄積性蛍光体シート用保持部材で特殊サイズの蓄積性蛍光体シートを保持した場合の挙動を説明する図である。
【図４】図２の蓄積性蛍光体シート用保持部材から特殊サイズの蓄積性蛍光体シートを取り外す際の態様を示す図である。
【図５】図１の規定サイズの蓄積性蛍光体シートあるいは図２の特殊サイズの蓄積性蛍光体シートに記憶されている放射線画像の読み取りおよび消去の両方の処理を行う処理装置の構成を示す図である。
【図６】図５の処理装置の搬送装置のローラ対によって規定サイズの蓄積性蛍光体シートが挟持搬送されている状態を示す図である。
【図７】図５の処理装置の搬送装置のローラ対によって特殊サイズの蓄積性蛍光体シートを保持した蓄積性蛍光体シート用保持部材が挟持搬送されている状態を示す図である。
【図８】図７に示す対向ローラとは別形態の対向ローラを有するローラ対によって特殊蓄積性蛍光体シートを保持した蓄積性蛍光体シート用保持部材が挟持搬送されている状態を示す図である。
【発明を実施するための形態】
【００３１】
以下、本発明に係る蓄積性蛍光体シート用搬送装置および蓄積性蛍光体シート処理装置の実施形態について、添付の図面に沿って説明する。
【００３２】
（蓄積性蛍光体シート用保持部材）
図１は、本発明に係る搬送装置で搬送される規定サイズの蓄積性蛍光体シートを示している。（Ａ）はその平面図であり、（Ｂ）は（Ａ）中の１Ｂ−１Ｂ線における断面図である。
【００３３】
規定サイズの蓄積性蛍光体シートは、支持体層と蓄積性蛍光体層と保護層（いずれも図示省略）とを順に積層して形成される矩形平板状を呈する。規定サイズの蓄積性蛍光体シートのサイズについて、後述の搬送装置で搬送される際の搬送方向の長さをＬ１、搬送方向と交差する方向の長さ（幅）をＷ１、厚みをＨ１とする。以降、規定サイズの蓄積性蛍光体シートを単に「規定蓄積性蛍光体シート」という。
【００３４】
図２は、本発明に係る搬送装置で搬送される蓄積性蛍光体シート用保持部材であって特殊サイズの蓄積性蛍光体シートを保持した状態のものを示している。（Ａ）はその平面図であり、（Ｂ）は（Ａ）中の２Ｂ−２Ｂ線における断面図である。
【００３５】
特殊サイズの蓄積性蛍光体シート１２は、規定蓄積性蛍光体シート１０と同様、支持体層と蓄積性蛍光体層と保護層（いずれも図示省略）とを順に積層して形成されるが、規定蓄積性蛍光体シート１０とは異なる特殊サイズ、具体的には規定蓄積性蛍光体シート１０に比べてサイズの小さい小サイズとされている。以降、特殊サイズ（小サイズ）の蓄積性蛍光体シート１２を単に「特殊蓄積性蛍光体シート１２」という。
【００３６】
蓄積性蛍光体シート用保持部材１４は、可撓性を有するシート状の保持体１６と、保持体１６の縁部に沿って取り付けられる枠体としてのフレーム１８とを備えている。換言すると、蓄積性蛍光体シート用保持部材１４は、保持体１６がフレーム１８に例えば接着剤や締結ネジなどの固定手段により取り付けられることで構成されている。
【００３７】
保持体１６は、その一面側に特殊蓄積性蛍光体シート１２が貼り付けられることで特殊蓄積性蛍光体シート１２を一面側で保持する。図２では、保持体１６が各種形状の特殊蓄積性蛍光体シート１２を４個保持している状態を示している。なお、保持体１６の剛性（曲げ剛性）は、特殊蓄積性蛍光体シート１２の剛性（曲げ剛性）よりも低く設定されている。
【００３８】
具体的に、図２（Ｂ）に示すように、保持体１６は、支持部材２０と、支持部材２０の一面側に設けられる固定部材２２とから構成されている。支持部材２０は、例えばポリカーボネイトから構成され、０．１ｍｍから０．５ｍｍの範囲の厚さとされている。正確には、フレーム１８はこの支持部材２０の縁部に沿って取り付けられており、固定部材２２はフレーム１８の内側領域において支持部材２０の一面側に設けられている。
【００３９】
固定部材２２は、粘着性材料から構成されている。具体的には、特殊蓄積性蛍光体シート１２を繰り返し着脱しても粘着性があまり低下しないような材料（特殊蓄積性蛍光体シート１２を繰り返し着脱可能とする材料）、例えばシリコン系材料やポリジメチルシロキサン系材料（商品名：プロリーダー、富士フイルム株式会社製）から構成されている。固定部材２２は、特殊蓄積性蛍光体シート１２を繰り返し着脱可能とする材料から構成されているので、特殊蓄積性蛍光体シート１２を保持体１６から着脱する度に固定部材２２を新たに付設する必要はない。なお、固定部材２２は、吸着性部材から構成されていてもよい。吸着性部材として、例えば多数のミクロ吸盤を有する部材（商品名：リバースμタック、ＲＩＶＥＲＳ株式会社製）を選択するとよい。そして、粘着性材料あるいは吸着性部材から構成される固定部材２２は、フレーム１８の内側領域を全て覆うように保持体１８の一面側（特殊蓄積性蛍光体シート１２を保持する面側）に設けられている。従って、特殊蓄積性蛍光体シート１２をフレーム１８の内側領域において場所を選ばず何処にでも保持させることができる。
【００４０】
フレーム１８は、保持体よりも剛性（曲げ剛性）が高い材料、例えばアルミ材などから構成されており、塗料を塗布するなどにより黒色とされている。蓄積性蛍光体シート用保持部材１４では、剛性の高い（硬い）フレーム１８が可撓性を有する（柔らかい）保持体１６の縁部に沿って取り付けられている。即ち、フレーム１８により、保持体１８に撓みが生じるのが抑制されるようになっている。また、フレーム１８をアルミ材から構成することで、蓄積性蛍光体シート用保持部材１４を全体的として軽量化することができる。
【００４１】
図３は、蓄積性蛍光体シート用保持部材１４に対する比較例として、フレーム１８を有しない蓄積性蛍光体シート用保持部材１００で特殊蓄積性蛍光体シート１２を保持した場合の挙動を説明する図である。蓄積性蛍光体シート用保持部材１００を取り扱う者がこれを把持する際、図３（Ａ）のように、蓄積性蛍光体シート用保持部材１００を上方に凸となるように湾曲させた場合、特殊蓄積性蛍光体シート１２の両端部に保持体１６と非接触となる捲れ上がり部２４が生じる。また、図３（Ｂ）のように、蓄積性蛍光体シート用保持部材１００を下方に凸となるように湾曲させた場合、特殊蓄積性蛍光体シート１２の中央部に保持体１６と非接触となる捲れ上がり部２４が生じる。特殊蓄積性蛍光体シート１２にこのような捲れ上がり部２４が生じると、保持体１６による特殊蓄積性蛍光体シートの保持力が低下し、特殊蓄積性蛍光体シート１２が剥がれ落ちる場合がある。
【００４２】
これに対し、蓄積性蛍光体シート用保持部材１４では、剛性の高い（硬い）フレーム１８が可撓性を有する（柔らかい）保持体１６の縁部に沿って取り付けられている。このため、蓄積性蛍光体シート用保持部材１４を取り扱う者がフレーム１８領域を把持することで、保持体１６に撓みが生じるのが抑制される。従って、特殊蓄積性蛍光体シート１２が剥がれ落ちるのが抑制される。
【００４３】
図４は、蓄積性蛍光体シート用保持部材１４から特殊蓄積性蛍光体シート１２を取り外す際の態様を示している。
【００４４】
図４に示すように、特殊蓄積性蛍光体シート１２を取り外す際には、保持体１６の特殊蓄積性蛍光体シート１２を保持する表面側とは反対の裏面側から保持体１６を表面側に向けて押して保持体１６を撓ませることで、特殊蓄積性蛍光体シート１２の縁部に捲り上がり部２４を生じさせることができ、蓄積性蛍光体シート１２を容易に剥がすことができる。保持体１６を裏面側から表面側に向けて押すことで、特殊蓄積性蛍光体シート１２の縁部に捲り上がり部２４が生じるのは、特殊蓄積性蛍光体シート１２が保持体１６よりも剛性が高いためである（保持体１６が特殊蓄積性蛍光体シート１２よりも剛性が低いためである）。なお、特殊蓄積性蛍光体シート１２を人の手によらず機械的に取り外す際には、捲れ上がった特殊蓄積性蛍光体シート１２がフレーム１８の上端面から突出する程度まで保持体１８を押すことで特殊蓄積性蛍光体シート１２の取り剥がしが容易となる。
【００４５】
蓄積性蛍光体シート用保持部材１４のサイズについて述べると、図１および図２を対比すると分かるように、蓄積性蛍光体シート用保持部材１４の搬送方向Ｘの長さＬ２は、規定蓄積性蛍光体シート１０の搬送方向の長さＬ１と同じとされている（Ｌ１＝Ｌ２）。蓄積性蛍光体シート用保持部材１４の搬送方向と交差する方向の長さ（幅）Ｗ２は、規定蓄積性蛍光体シート１０の搬送方向と交差する方向の長さ（幅）Ｗ１よりも長くされている（Ｗ１＜Ｗ２）。蓄積性蛍光体シート用保持部材１４のフレーム１８領域の厚み（フレーム１８の厚み＋支持部材２０の厚み）Ｈ２は、規定蓄積性蛍光体シートの厚みＨ１よりも厚くされている（Ｈ１＜Ｈ２）。
【００４６】
また、特殊蓄積性蛍光体シート１２の厚みＨ３は規定蓄積性蛍光体シートの厚みＨ１よりも薄いものであり（Ｈ１＞Ｈ３）、特殊蓄積性蛍光体シート１２が保持体１６に保持されている状態において、保持体１６と特殊蓄積性蛍光体シート１２とを合わせた厚み（支持部材２０の厚み＋固定部材２２の厚み＋特殊蓄積性蛍光体シート１２の厚み）Ｈ４は、規定蓄積性蛍光体シート１０の厚みＨ１よりも薄いものとされている（Ｈ１＞Ｈ４）。
【００４７】
また、特殊蓄積性蛍光体シート１２が保持体１６に保持されている状態において、フレーム１８の保持体１６とは反対側の面２６が特殊蓄積性蛍光体シート１２の保持体１６とは反対側の面２８よりも突出するように、フレーム１８の厚みが設定されている。即ち、フレーム１８の厚みは、特殊蓄積性蛍光体シート１２の厚みよりも厚く設定されている。従って、特殊蓄積性蛍光体シート１２を保持した状態の蓄積性蛍光体シート用保持部材１４を後述するローラ対４０，４２，４４で挟持して搬送する場合、特殊蓄積性蛍光体シート１２が対向ローラ６０に接触するのが抑制される。それにより、特殊蓄積性蛍光体シート１２が剥がれ落ちるのを抑制することができる。
【００４８】
また、フレーム１８が黒色とされているので、後述する処理装置３０の読取器３６から励起光としてのレーザ光が照射される場合、フレーム１８と保持体１６との間に形成される段差部においてフレア光が生じるのが抑制される。それにより、蓄積性蛍光体シート用保持部材１４によって保持した特殊蓄積性蛍光体シート１２の放射線画像を精度よく読み取ることができる。
【００４９】
（処理装置）
図５は、規定蓄積性蛍光体シート１０あるいは特殊蓄積性蛍光体シート１２に記憶されている放射線画像の読み取り処理および消去処理の両方の処理を行う蓄積性蛍光体シート処理装置３０（以下、単に「処理装置３０」という）の構成を示している。処理装置３０は、その筐体３２の内部に蓄積性蛍光体シート用搬送装置３４（以下、単に「搬送装置３４」という）と読取器３６と消去器３８とを備えている。
【００５０】
搬送装置３４は、３個のローラ対４０，４２，４４と４個の搬送補助台４６，４８，５０，５２とを有している。３個のローラ対４０，４２，４４は、処理装置３０の内部においてローラ軸方向を互いに平行として所定の間隔を置いて配置されている。４個の搬送補助台４６，４８，５０，５２はそれぞれ、筐体３２の開口部５４とローラ対４０との間、ローラ対４０とローラ対４２との間、ローラ対４２とローラ対４４との間、ローラ対４４と処理装置３０の開口部５４とは反対側の壁５６との間に配置されている。各ローラ対４０，４２，４４の下方のローラ５８は駆動源（図示省略）によって駆動される駆動ローラであり、下方のローラ５８に対向する上方の対向ローラ６０は搬送対象物Ｍを下方のローラ５８との間で挟持することで従動する従動ローラとされている。
【００５１】
筐体３２の開口部５４は、搬送対象物Ｍの出入口とされており、搬送対象物Ｍが開口部５４から処理装置３０の内部に入れられると、３個のローラ対４０，４２，４４の下方のローラ５８が図５に示す矢印Ａ方向に回転駆動され、搬送対象物Ｍは開口部５４から処理装置３０の奥側へと搬送される。３個のローラ対４０，４２，４４の下方のローラ５８が図５の矢印Ｂで示す方向に回転駆動されると、搬送対象物Ｍは処理装置３０の奥側から開口部５４へと搬送され、開口部５４から取り出される。  
【００５２】
ここで、搬送対象物Ｍとは、規定蓄積性蛍光体シート１０、および、特殊蓄積性蛍光体シート１２を保持した状態の蓄積性蛍光体シート用保持部材１４の２者を指す。この搬送装置３４にあっては、後述するように、規定蓄積性蛍光体シート１０と、特殊蓄積性蛍光体シート１２を保持した状態の蓄積性蛍光体シート用保持部材１４との両方を搬送可能に構成されている。
【００５３】
読取器３６は、光走査装置６２と光検出装置６４とから構成されている。光走査装置６２は搬送装置３４によって一定速度で搬送されてくる規定蓄積性蛍光体シート１０あるいは蓄積性蛍光体シート用保持部材１４に保持された特殊蓄積性蛍光体シート１２に向けて励起光としてのレーザ光を搬送方向（副走査方向）とは交差する方向（主走査方向）に一次元的に走査する。レーザ光の照射を受けた規定蓄積性蛍光体シート１０あるいは特殊蓄積性蛍光体シート１２からは、そこに記憶されている放射線画像に応じた輝尽発光光が放射される。光検出装置６４は、規定蓄積性蛍光体シート１０あるいは特殊蓄積性蛍光体シート１２から放射される輝尽発光光を経時的に検出する。それにより、規定蓄積性蛍光体シート１０あるいは特殊蓄積性蛍光体シート１２に記憶されている放射線画像が読み取られることとなる。なお、光検出装置６４からは放射線画像を示す出力信号が得られ、これを例えばＣＲＴ表示装置（図示省略）などの画像表示装置に送信することで、規定蓄積性蛍光体シート１０あるいは特殊蓄積性蛍光体シート１２に記憶されている放射線画像を可視像として見ることができる。
【００５４】
消去器３８は、消去用光源６６を複数内蔵している。複数の消去用光源６６は、搬送対象物Ｍの搬送方向に沿って並べられている。規定蓄積性蛍光体シート１０あるいは蓄積性蛍光体シート用保持部材１４に保持された特殊蓄積性蛍光体シート１２は、放射線画像が読み取れた後、消去器３８の直下に搬送される。その際、複数の消去用光源６６が点灯され、消去光が規定蓄積性蛍光体シート１０あるいは特殊蓄積性蛍光体シート１２に照射される。それにより、規定蓄積性蛍光体シート１０あるいは特殊蓄積性蛍光体シート１２に残存している放射線エネルギーが放出され、規定蓄積性蛍光体シート１０あるいは特殊蓄積性蛍光体シート１２は新たな放射線画像の撮影に使用される状態となる。
【００５５】
ローラ対４０，４２，４４は、搬送対象物Ｍの搬送経路において読取器３６および消去器３８を挟むように間をおいて複数設けられている。それにより、搬送対象物Ｍは搬送経路に沿って的確に搬送される。
【００５６】
この処理装置３０における動作プロセスを説明する。
【００５７】
先ず、規定蓄積性蛍光体シート１０あるいは特殊蓄積性蛍光体シート１２を保持した状態の蓄積性蛍光体シート用保持部材１４が筐体３２の開口部５４から処理装置３０の内部へと入れられると、各ローラ対４０，４２，４４の下方のローラ５８が図５の矢印Ａで示す方向に回転駆動される。規定蓄積性蛍光体シート１０あるいは特殊蓄積性蛍光体シート１２を保持した状態の蓄積性蛍光体シート用保持部材１４は、ローラ対４０，４２によって矢印Ｃで示す方向に挟持搬送され、消去器３８の直下を通過する。ここでは消去器３８は動作されない。
【００５８】
次いで、規定蓄積性蛍光体シート１０あるいは特殊蓄積性蛍光体シート１２を保持した状態の蓄積性蛍光体シート用保持部材１４は、ローラ対４２，４４によって矢印Ｃで示す方向に挟持搬送され、読取器３６のレーザ光が走査される走査箇所６８を通過する。ここで読取器３６が動作され、規定蓄積性蛍光体シート１０あるいは蓄積性蛍光体シート用保持部材１４に保持された特殊蓄積性蛍光体シート１２に記憶された放射線画像が読み取られる。
【００５９】
次いで、各ローラ対４０，４２，４４の下方のローラ５８が矢印Ｂで示す方向に逆回転駆動される。規定蓄積性蛍光体シート１０あるいは特殊蓄積性蛍光体シート１２を保持した状態の蓄積性蛍光体シート用保持部材１４は、ローラ対４４，４２によって矢印Ｄで示す方向に挟持搬送され、読取器３６のレーザ光が走査される走査箇所６８を再度通過するが、ここでは読取器３６は動作されない。なお、読取器３６を再度動作させてもよい。
【００６０】
次いで、規定蓄積性蛍光体シート１０あるいは特殊蓄積性蛍光体シート１２を保持した状態の蓄積性蛍光体シート用保持部材１４は、ローラ対４２，４０よって矢印Ｄで示す方向に挟持搬送され、消去器３８の直下を再度通過する。ここで消去器３８が動作され、規定蓄積性蛍光体シート１０あるいは特殊蓄積性蛍光体シート１２に残存している放射線エネルギーが放出され、規定蓄積性蛍光体シート１０あるいは特殊蓄積性蛍光体シート１２は新たな放射線画像の撮影に使用される状態とされる。
【００６１】
次いで、規定蓄積性蛍光体シート１０あるいは特殊蓄積性蛍光体シート１２を保持した状態の蓄積性蛍光体シート用保持部材１４は、ローラ対４０によって矢印Ｄで示す方向に挟持搬送され、筐体３２の開口部５４から排出される。
【００６２】
図６は、ローラ対４０によって規定蓄積性蛍光体シート１０を挟持搬送している状態を示している。図７は、ローラ対４０によって特殊蓄積性蛍光体シート１２を保持した状態の蓄積性蛍光体シート用保持部材１４を挟持搬送している状態を示している。
【００６３】
図６および図７に示すように、ローラ対４０の下方のローラ５８は軸方向において全長に渡って均一な径とされているが、上方の対向ローラ６０は軸方向における両端部が中央部に比べて縮径されている。そして、上方の対向ローラ６０の中央部と下方のローラ５８の距離Ｄ１は、規定蓄積性蛍光体シート１０の厚みＨ１と同一となる（あるいは規定蓄積性蛍光体シート１０の厚みＨ１よりも若干短くなる）ように設定されている。また、上方の対向ローラ６０の両端部と下方のローラ５８の距離Ｄ２は、蓄積性蛍光体シート用保持部材１４のフレーム１８領域の厚み（フレーム１８の厚み＋支持部材２０の厚み）Ｈ２と同一となる（あるいは蓄積性蛍光体シート用保持部材１４のフレーム１８領域の厚みＨ２よりも若干短くなる）ように設定されている。
【００６４】
図６に示すように、規定蓄積性蛍光体シート１０が上方の対向ローラ６０と下方のローラ５８との間に導入される場合、規定蓄積性蛍光体シート１０は上方の対向ローラ６０の中央部と下方のローラ５８との間で挟持搬送されるようになっている。一方、図７に示すように、特殊蓄積性蛍光体シート１２を保持した状態の蓄積性蛍光体シート用保持部材１４が上方の対向ローラ６０と下方のローラ５８との間に導入される場合、蓄積性蛍光体シート用保持部材１４は上方の対向ローラ６０の両端部と下方のローラ５８との間で挟持搬送されるようになっている。
【００６５】
このように、対向ローラ６０の中央部には、規定蓄積性蛍光体シート１０に接触し、規定蓄積性蛍光体シート１０を下方のローラ５８との間で挟持搬送する第１挟持搬送部７０が設けられている。また、対向ローラ６０の両端部には、蓄積性蛍光体シート用保持部材１４のフレーム１８に接触し、蓄積性蛍光体シート用保持部材１４を下方のローラ５８との間で挟持搬送する第２挟持搬送部７２が設けられている。ここで、第１挟持搬送部７０は、蓄積性蛍光体シート用保持部材１４に保持される特殊蓄積性蛍光体シート１２に対して非接触とされている。なお、残りのローラ対４２，４４もローラ対４０と同一の構成となっている。
【００６６】
従って、この搬送装置３４にあっては、規定蓄積性蛍光体シート１０と、特殊蓄積性蛍光体シート１２を保持した状態の蓄積性蛍光体シート用保持部材１４との両方を搬送することができるようになっている。そして、ローラ対４０，４２，４４によってこれら搬送対象物Ｍを搬送する構成としているので、対向ローラ６０がなく下方のローラ５８のみで搬送対象物Ｍを搬送する場合に比べると、搬送対象物Ｍに対する滑りが生じるが抑制されるため、搬送対象物Ｍを精度良く搬送することができるようになっている。従って、読取器３６における放射線画像の読み取り処理および消去器３８における放射線画像の消去処理を精度良く行えるようになっている。
【００６７】
また、蓄積性蛍光体シート用保持部材１４の搬送方向Ｘと交差する方向の長さ（幅）Ｗ２は、規定蓄積性蛍光体シート１０の長さ（幅）Ｗ１よりも長くされており（Ｗ１＜Ｗ２）、蓄積性蛍光体シート用保持部材１４のフレーム１８領域の厚み（フレーム１８の厚み＋支持部材２０の厚み）Ｈ２は、規定蓄積性蛍光体シート１０の厚みＨ１よりも厚くされている（Ｈ１＜Ｈ２）。このことに対応させて、第１挟持搬送部７０を対向ローラ６０の中央部に設けると共に、第２挟持搬送部７２を第１挟持搬送部７０よりも縮径させて対向ローラ６０の両端部に設けるように構成している。従って、互いにサイズを異にする規定蓄積性蛍光体シート１０と蓄積性蛍光体シート用保持部材１４との両方を精度良く搬送することができるようになっている。また、第１挟持搬送部７０は、蓄積性蛍光体シート用保持部材１４に保持される特殊蓄積性蛍光体シート１２に対して非接触とされているので、蓄積性蛍光体シート用保持部材１４の挟持搬送中に特殊蓄積性蛍光体シート１２が蓄積性蛍光体シート用保持部材１４から剥がれ落ちるのが抑制されるようになっている。
【００６８】
第１挟持搬送部７０は、第２挟持搬送部７２よりも軟質な材料であって弾性変形自在な材料、例えばスポンジ材から構成されている。なお、第２挟持搬送部７２は例えばゴム材から構成されている。第１挟持搬送部７０を軟質なスポンジ材から構成することで、図６の吹き出し拡大図に示すように、対向ローラ６０の第１挟持搬送部７０と下方のローラ５８との間で規定蓄積性蛍光体シート１０を挟持搬送する際、規定蓄積性蛍光体シート１０が第１挟持搬送部７０に食い込むこととなる。従って、規定蓄積性蛍光体シート７０の厚みにバラツキがある場合でも、そのバラツキを吸収することができる。また、規定蓄積性蛍光体シート１０が第１挟持搬送部７０に食い込んだ状態としつつ規定蓄積性蛍光体シート１０を挟持搬送することで、搬送方向に交差する方向へ寄れて搬送されるが抑制される。即ち、規定蓄積性蛍光体シート１０を搬送方向に沿って精度良く搬送することができる。
【００６９】
なお、蓄積性蛍光体シート用保持部材１４がローラ対４０，４２，４４に導入される際またはローラ対４０，４２，４４から導出される際、蓄積性蛍光体シート用保持部材１４の搬送方向の前方または後方のフレーム１８が第１挟持搬送部７０にも接触することになるが、第１挟持搬送部７０がフレーム１８に押されて凹む（弾性変形する）ため、第１挟持搬送部７０は蓄積性蛍光体シート用保持部材１４の挟持搬送の妨げとはならない。
【００７０】
図８は、対向ローラ６０とは別形態の対向ローラ７４を有するローラ対４０によって特殊蓄積性蛍光体シート１２を保持した状態の蓄積性蛍光体シート用保持部材１４を挟持搬送している状態を示している。
【００７１】
図８に示すように、対向ローラ７４の両端部に設けられる第２挟持搬送部７２は、鼓状を呈している。即ち、対向ローラ７４の両端部の第２挟持搬送部７２はそれぞれ、軸方向における中央が凹とされている。第２挟持搬送部７２を鼓状とすることで、蓄積性蛍光体シート用保持部材１４を挟持搬送する際、蓄積性蛍光体シート用保持部材１４が搬送方向に沿って案内されるため、搬送方向に交差する方向へ寄れて搬送されるのが抑制される。即ち、蓄積性蛍光体シート用保持部材１４を搬送方向に沿って精度良く搬送することができる。
【００７２】
なお、上記では、ローラ対４０，４２，４４の下方のローラ５８を駆動ローラとし上方の対向ローラ６０，７４を従動ローラとしたが、下方のローラ５８を従動ローラとし上方の対向ローラ６０，７４を駆動ローラとしてもよいし、下方のローラ５８と上方の対向ローラ６０，７４との両方を駆動ローラとしてもよい。下方のローラ５８と上方の対向ローラ６０，７４のうちのいずれか一方を駆動ローラとし、他方を従動ローラとすることで、ローラ対４０，４２，４４の構成が簡易となる。下方のローラ５８と上方の対向ローラ６０，７４との両方を駆動ローラとすることで、搬送対象物Ｍの搬送がより的確となる。
【００７３】
また、処理装置３０は、読取器３６および消去器３８を備え放射線画像の読み取り処理および消去処理の両方の処理を行うように構成したが、読取器３６および消去器３８のうちいずれか一方のみを備え放射線画像の読み取り処理および消去処理のいずれか一方の処理を行うものであってもよい。
【００７４】
また、フレーム１８を保持体１８（支持部材２０）とは異なる材質として剛性を保持体１６よりも高くするようにしたが、同じ材質であってもフレーム１８の断面積を大きく設定するなどして剛性を保持体１６よりも高くするようにしてもよい。
【符号の説明】
【００７５】
１０   規定蓄積性蛍光体シート（規定サイズの蓄積性蛍光体シート）
１２   特殊蓄積性蛍光体シート（特殊サイズの蓄積性蛍光体シート）
１４   蓄積性蛍光体シート用保持部材
１６   保持体
１８   フレーム（枠体）
２０   支持部材
２２   固定部材
３０   処理装置（蓄積性蛍光体シート処理装置）
３４   搬送装置（蓄積性蛍光体シート用搬送装置）
３６   読取器
３８   消去器
４０，４２，４４     ローラ対
５８   ローラ
６０   対向ローラ
７０   規定蓄積性蛍光体シート（規定サイズの蓄積性蛍光体シート）
７０   第１挟持搬送部
７２   第２挟持搬送部
７４   対向ローラ
【図１】
2013076889.tif 000003
【図２】
2013076889.tif 000004
【図３】
2013076889.tif 000005
【図４】
2013076889.tif 000006
【図５】
2013076889.tif 000007
【図６】
2013076889.tif 000008
【図７】
2013076889.tif 000009
【図８】
2013076889.tif 000010